(57)【要約】【課題】日常的な活動で使用でき、表面に描かれた人型キャラクタと着用者の人体の部分との間に関連性を持たせる視覚的効果を与えることができる絵柄付きシャツを提供する。【解決手段】前身頃４及び後身頃６からなるボディ部２を具備し、このボディ部２の上側に着用者の首を通すためのネック部８を、また当該ボディ部２の下側に裾部１４をそれぞれ有し、少なくとも前記前身頃４の前面に、前記ネック部８から下方に亘って連続する正面絵柄部２０Ｆを形成したシャツである。前記正面絵柄部２０Ｆは、頭部を省略した上位人型キャラクタ２２を下位人型キャラクタ４０が肩車した姿を正面方向から見た図案を含み、前記正面絵柄部２０Ｆの上位人型キャラクタ２２の首回り２４が前記ネック部８の輪郭を構成するネックライン１０と重なるように配置されている。【選択図】図１
2020183594.tif 000002
【特許請求の範囲】
【請求項１】
前身頃(４)及び後身頃(６)からなるボディ部(２)を具備し、
このボディ部(２)の上側に着用者の首を通すためのネック部(８)を、また当該ボディ部(２)の下側に裾部(１４)をそれぞれ有し、
少なくとも前記前身頃(４)の前面に、前記ネック部(８)から下方に亘って連続する正面絵柄部(２０Ｆ)を形成したシャツにおいて、
前記正面絵柄部(２０Ｆ)は、頭部を省略した上位人型キャラクタ(２２)を下位人型キャラクタ(４０)が肩車した姿を正面方向から見た図案を含み、
前記正面絵柄部(２０Ｆ)の上位人型キャラクタ(２２)の首回り(２４)が前記ネック部(８)の輪郭を構成するネックライン(１０)と重なるように配置されていることを特徴とする、絵柄付きシャツ。
【請求項２】
前記ボディ部(２)のネック部(８)の左右両側に位置するショルダー部(１２)から延びる左右一対の袖部(１６)を具備し、
前方から見て、前記正面絵柄部(２０Ｆ)の上位人型キャラクタ(２２)の腕部(２８)が前記前身頃(４)の前面から前記袖部(１６)の前面を超えて袖口(１８)に至るように構成されていることを特徴とする、請求項１に記載の絵柄付きシャツ。
【請求項３】
前記正面絵柄部(２０Ｆ)は、前記前身頃(４)に描かれた上位人型キャラクタ(２２)の胴部(３０)と、前記ボディ部(２)の左右の側辺(２Ｓ)との間に第１余白代(Ｍ１)を、また前記袖部(１６)に描かれた上位人型キャラクタ(２２)の腕部(２８)の下辺(２８Ｌ)と前記袖部(１６)の下辺(１６Ｌ)との間に第２余白代(Ｍ２)をそれぞれ配するように構成したことを特徴とする、請求項２に記載の絵柄付きシャツ。
【請求項４】
少なくとも前記後身頃(６)の後面に、前記ネック部(８)から下方に亘って連続する背面絵柄部(２０Ｒ)を形成しており、
前記背面絵柄部(２０Ｒ)は、頭部を省略した上位人型キャラクタ(２２)を下位人型キャラクタ(４０)が肩車した姿を背面方向から見た図案を含み、
前記背面絵柄部(２０Ｒ)の上位人型キャラクタ(２２)の首回り(２４)が前記ネック部(８)の輪郭を構成するネックライン(１０)と重なるように配置されていることを特徴とする、請求項１から請求項３の何れかに記載の絵柄付きシャツ。
【請求項５】
後方から見て、前記背面絵柄部(２０Ｒ)の上位人型キャラクタ(２２)の腕部(２８)が前記後身頃(６)の後面から前記袖部(１６)の後面を超えて袖口(１８)に至るように構成されており、
側方から見て、前記正面絵柄部(２０Ｆ)と前記背面絵柄部(２０Ｒ)とは、少なくともネック部(８)から袖部(１６)に亘る箇所において、正面側及び背面側の上位人型キャラクタ(２２の対応する箇所が連続するように形成していることを特徴とする、請求項４に記載の絵柄付きシャツ。
【発明の詳細な説明】
【技術分野】
【０００１】
本発明は、絵柄付きシャツ、特に人間や擬人化された動物・ヒーローなどのキャラクタ（以下、「人型キャラクタ」という。）に関する。  
【背景技術】
【０００２】
従来、絵柄付きシャツの絵柄は、シャツの前面又は後面をキャンパスに見立てて描かれたものであり、そのキャンパスの中で完結されたものであった。
例えばシャツの前身頃に肩車をした二人組の姿の全部を、前身頃の上辺・下辺・左右側辺との間に十分に間隔（余白代）をとって描いたものが知られている（非特許文献１）。
これに対して、キャンパスの枠から外れて、着用者の姿態との関連性を持たせて衣類に人型キャラクタを描き、特別の視覚的効果を得るという試みもなされている。
例えば特許文献１には、シャツの前身頃の裏面に人型キャラクタの頭部の正面形態を、また同じシャツの後身頃の裏面に当該キャラクタの頭部の後面形態を、それぞれ倒立状態で描いておき、着用者がシャツを脱ぐ動作の途中で、着用者の頭の位置に、前記人型キャラクタの頭部が成立状態で現れるというものが開示されている。
またシャツではないが、着用者の胴体から下半身を覆うボディスーツの腰付近に人型キャラクタ（サンタクロース）の頭部及び腕部が別体の脚部を支える姿を形どるパーツを設け、着用者の足が当該キャラクタの足であるように、また当該脚部が着用者の足であるように錯覚させる視覚的効果を与えるものが知られている（非特許文献２）。
【先行技術文献】
【特許文献】
【０００３】
【特許文献１】特開２０１８−３５４８３
【非特許文献】
【０００４】
【非特許文献１】「肩車友達Ｔシャツ」検索日：平成３１年４月１７日  https://suzuri.jp/noname_/829098/t-shirt/s/white
【非特許文献２】「コスチューム 肩車 仮装 おもしろコスプレ 着ぐるみ 衣装セット 大人 ハロウィン サンタクロース 余興 (サンター赤帽子)」検索日：平成３１年４月１７日  https://www.amazon.co.jp/%E3%82%B3%E3%82%B9%E3%83%81%E3%83%A5%E3%83%BC%E3%83%A0-%E3%81%8A%E3%82%82%E3%81%97%E3%82%8D%E3%82%B3%E3%82%B9%E3%83%97%E3%83%AC-%E8%A1%A3%E8%A3%85%E3%82%BB%E3%83%83%E3%83%88-%E3%82%B5%E3%83%B3%E3%82%BF%E3%82%AF%E3%83%AD%E3%83%BC%E3%82%B9-%E3%82%B5%E3%83%B3%E3%82%BF%EF%BD%B0%E8%B5%A4%E5%B8%BD%E5%AD%90/dp/B07H2SVBKJ
【発明の概要】
【発明が解決しようとする課題】
【０００５】
特許文献１及び非特許文献２のものは、宴会などで使用する小道具として用いられるものであり、日常的な活動、例えば通学・買い物・レジャーなどにおいて使用することができないという問題があった。
【０００６】
本発明の目的は、日常的な活動で使用でき、表面に描かれた人型キャラクタと着用者の人体の部分との間に関連性を持たせる視覚的効果を与えることができる絵柄付きシャツを提供することである。
【課題を解決するための手段】
【０００７】
第１の手段は、前身頃４及び後身頃６からなるボディ部２を具備し、
このボディ部２の上側に着用者の首を通すためのネック部８を、また当該ボディ部２の下側に裾部１４をそれぞれ有し、
少なくとも前記前身頃４の前面に、前記ネック部８から下方に亘って連続する正面絵柄部２０Ｆを形成したシャツにおいて、
前記正面絵柄部２０Ｆは、頭部を省略した上位人型キャラクタ２２を下位人型キャラクタ４０が肩車した姿を正面方向から見た図案を含み、
前記正面絵柄部２０Ｆの上位人型キャラクタ２２の首回り２４が前記ネック部８の輪郭を構成するネックライン１０と重なるように配置されている。
【０００８】
本手段は、図１に示す如く、正面絵柄部２０Ｆの上位人型キャラクタ２２の首回り２４が前記ネック部８の輪郭を構成するネックライン１０と重なるように配置された構成を提案する。ここで“重なる”という用語は連続して見える程度に接近していることを含む。この構成によれば、図５に示す如く、シャツを着用した利用者の頭が恰も前記正面絵柄部２０Ｆの上位人型キャラクタ２２の首回り２４と連続すると錯覚させる如き視覚的作用を与えることができる。
“ボディ部”とは、着用者の胴体を覆う部分（見頃部ともいう。）であり、袖部や襟部を含まない。
“人型キャラクタ”とは、人間及び人間に類似した肢体を有する実在又は想像上のキャラクタを指し、擬人化された動物、アニメーションなどのヒーローなどを含む。“人間に類似した肢体”とは、少なくとも肩車をした図案を構成できる程度に類似していれば足りる意味であり、少なくとも四肢を有する動物を含む。例えば頭部を省略したサンタクロース（上位人型キャラクタ）を擬人化されたトナカイ（下位人型キャラクタ）が肩車しているような図案を構成することができる。
【０００９】
第２の手段は、第１の手段を有し、かつ前記ボディ部２のネック部８の左右両側に位置するショルダー部１２から延びる左右一対の袖部１６を具備し、
前方から見て、前記正面絵柄部２０Ｆの上位人型キャラクタ２２の腕部２８が前記前身頃４の前面から前記袖部１６の前面を超えて袖口１８に至るように構成されている。
【００１０】
本手段では、図１に示す如く、前方から見て、前記正面絵柄部２０Ｆの上位人型キャラクタ２２の腕部２８が前記前身頃４の前面から袖部１６の前面を超えて袖口１８に至るように構成されている。ここで“至る”という用語は、連続して見える程度に接近していることを含む。この構成によれば、図５に示す如く、利用者の腕が恰も前記正面絵柄部２０Ｆの上位人型キャラクタ２２の胴部３０と連続すると錯覚させる如き視覚的作用を与えることができる。
本明細書において、“ショルダー”とは、人体の中で胴体と腕部との接続箇所をいい、また“ショルダー部”とは、着用者の胴体と腕部との接続箇所を覆う部分をいうものとする。
これに対して“肩”とは主として人の腕が胴体と接続する箇所の上部をいう。
【００１１】
第３の手段は、第２の手段を有し、かつ前記正面絵柄部２０Ｆは、前記前身頃４に描かれた上位人型キャラクタ２２の胴部３０と、前記ボディ部２の左右の側辺２Ｓとの間に第１余白代Ｍ１を、また前記袖部１６に描かれた上位人型キャラクタ２２の腕部２８の下辺２８Ｌと前記袖部１６の下辺１６Ｌとの間に第２余白代Ｍ２をそれぞれ配するように構成した。
【００１２】
本手段では、図１に示す如く、前記前身頃４に描かれた上位人型キャラクタ２２の胴部３０と、前記ボディ部２の左右の側辺２Ｓとの間に第１余白代Ｍ１を、また前記袖部１６に描かれた上位人型キャラクタ２２の腕部２８の下辺２８Ｌと前記袖部１６の下辺１６Ｌとの間に第２余白代Ｍ２をそれぞれ配した形態としている。この構成によれば、シャツの前面をキャンパスに見立てて、その輪郭の内側に書き込んだ筈の上位人型キャラクタ２２の首回り２４が前記ネックライン１０に重なることで、一種の騙し絵的な視覚効果を与えることができる。
この効果は、図１に示すように、ショルダー部１２及び袖部１６の１６Ｕと上位人型キャラクタ２２の肩部２６及び腕部２８の上側面とが一致するように構成すると、さらに高まる。
【００１３】
第４の手段は、第１の手段から第３の手段のいずれかを有し、かつ少なくとも前記後身頃６の後面に、前記ネック部８から下方に亘って連続する背面絵柄部２０Ｒを形成しており、
前記背面絵柄部２０Ｒは、頭部を省略した上位人型キャラクタ２２を下位人型キャラクタ４０が肩車した姿を背面方向から見た図案を含み、
前記背面絵柄部２０Ｒの上位人型キャラクタ２２の首回り２４が前記ネック部８の輪郭を構成するネックライン１０と重なるように配置されている。
【００１４】
本手段では、図２に示す如く、少なくとも前記後身頃６の後面に、前記ネック部８から下方に亘って連続する背面絵柄部２０Ｒを形成している。
前記背面絵柄部２０Ｒは、頭部を省略した上位人型キャラクタ２２を下位人型キャラクタ４０が肩車した姿を背面方向から見た図案を含み、前記背面絵柄部２０Ｒの上位人型キャラクタ２２の首回り２４が前記ネック部８の輪郭を構成するネックライン１０と重なるように配置されている。
この構成によれば、後方から見ても、第１の手段と同様の視覚効果が得られる。
なお、背面絵柄部２０Ｒの上位人型キャラクタ２２及び下位人型キャラクタ４０の輪郭は、図１及び図２に示すように、正面絵柄部２０Ｆの上位人型キャラクタ２２及び下位人型キャラクタ４０の輪郭と対称（面対称）であることが望ましい。こうすることにより、正面形態と後面形態との間で各人型キャラクターの対応部位（腕部、肩部、胴部など）の位置を一致させることができる。
【００１５】
第５の手段は、第４の手段を有し、かつ後方から見て、前記背面絵柄部２０Ｒの上位人型キャラクタ２２の腕部２８が前記後身頃６の後面から前記袖部１６の後面を超えて袖口１８に至るように構成されており、
側方から見て、前記正面絵柄部２０Ｆと前記背面絵柄部２０Ｒとは、少なくともネック部８から袖部１６に亘る箇所において、正面側及び背面側の上位人型キャラクタ２２の対応する箇所が連続するように形成している。
【００１６】
本手段は、図４（Ｂ）に示す如く、側方から見て、前記正面絵柄部２０Ｆと前記背面絵柄部２０Ｒとは、少なくともネック部８から袖部１６に亘る箇所において、正面側及び背面側の上位人型キャラクタ２２の対応する箇所が連続するように形成している。
この構成によれば、３６０度いずれの方向から見ても、第１の手段で述べた視覚的効果が得られる。
【発明の効果】
【００１７】
第１の手段に係る発明によれば、正面絵柄部２０Ｆの上位人型キャラクタ２２の首回り２４が前記ネック部８の輪郭を構成するネックライン１０と重なるように配置されているから、シャツを着用した利用者の頭が恰も前記正面絵柄部２０Ｆの上位人型キャラクタ２２の首回り２４と連続すると錯覚させる如き視覚的作用を与えることができる。
第２の手段に係る発明によれば、前方から見て、前記正面絵柄部２０Ｆの上位人型キャラクタ２２の腕部２８が前記前身頃４の前面から袖部１６の前面を超えて袖口１８に至るように構成されているから、利用者の腕が恰も前記正面絵柄部２０Ｆの上位人型キャラクタ２２の胴部３０と連続すると錯覚させる如き視覚的作用を与えることができる。
第３の手段に係る発明によれば、前記前身頃４に描かれた上位人型キャラクタ２２の胴部３０と、前記ボディ部２の左右の側辺２Ｓとの間に第１余白代Ｍ１を、また前記袖部１６に描かれた上位人型キャラクタ２２の腕部２８の下辺２８Ｌと前記袖部１６の下辺１６Ｌとの間に第２余白代Ｍ２をそれぞれ配したから、シャツの前面をキャンパスとして、その輪郭の内側に書き込んだ筈の上位人型キャラクタ２２の首回り２４が前記ネックライン１０に重なることで、一種の騙し絵的な視覚効果を与えることができる。
第４の手段に係る発明によれば、少なくとも前記後身頃６の後面に、前記ネック部８から下方に亘って連続する背面絵柄部２０Ｒを形成しており、前記背面絵柄部２０Ｒは、頭部を省略した上位人型キャラクタ２２を下位人型キャラクタ４０が肩車した姿を背面方向から見た図案を含み、前記背面絵柄部２０Ｒの上位人型キャラクタ２２の首回り２４が前記ネック部８の輪郭を構成するネックライン１０と重なるように配置されているから、後方から見ても、第１の手段と同様の視覚効果が得られる。
第５の手段に係る発明によれば、側方から見て、前記正面絵柄部２０Ｆと前記背面絵柄部２０Ｒとは、少なくともネック部８から袖部１６に亘る箇所において、正面側及び背面側の上位人型キャラクタ２２の対応する箇所が連続するように形成しているから、３６０度いずれの方向から見ても、第１の手段で述べた視覚的効果が得られる。
【図面の簡単な説明】
【００１８】
【図１】本発明の第１実施形態に係る絵柄付きシャツの正面図である。
【図２】図１の絵柄付きシャツの背面図である。
【図３】図１の絵柄付きシャツの平面図であり、同図（Ａ）は、初期状態の形態を、同図（Ｂ）は利用者が着衣した状態の形態を、それぞれ示している。
【図４】図１の絵柄付きシャツの側面図であり、同図（Ａ）は、初期状態の形態を、同図（Ｂ）は利用者が着衣した状態の形態を、それぞれ示している。
【図５】図１の絵柄付きシャツの使用状態を正面方向から見た説明図である。
【図６】図１の絵柄付きシャツの使用状態を背面方向から見た説明図である。
【図７】本発明の第２実施形態に係る絵柄付きシャツの正面図である。
【図８】図７の絵柄付きシャツの背面図である。
【図９】図７の絵柄付きシャツの着衣状態での平面図である。
【図１０】図７の絵柄付きシャツの着衣状態での側面図である。
【図１１】本発明の実施例を示す図であり、  同図（Ａ−１）は、袖部のデザインを変更した形態を前方から見た図、同図（Ａ−２）は、当該形態を後方から見た図、  同図（Ｂ−１）は、袖部を省略した形態を前方から見た図、同図（Ａ−２）は、当該形態を後方から見た図である。
【発明を実施するための最良の形態】
【００１９】
図１から図６は、本発明の第１実施形態に係る絵柄付きシャツを示している。
この絵柄付きシャツ１は、見頃であるボディ部２と左右一対の袖部１６とで形成されている。もっとも袖部１６は省略しても構わない。
【００２０】
ボディ部２は、前身頃４と後身頃６とからなり、上側に、図５に示す如く着用者の首Ｎを通すためのネック部８が、下側に裾部１４がそれぞれ形成されている。またネック部８と袖部１６との間にはショルダー部１２が形成されている。
前記ネック部８の輪郭を形成するラインをネックライン１０と称する。このネックライン１０は前側ライン１０ａと後側ライン１０ｂとで形成されている。
左右一対の袖部１６は、前記ボディ部２のショルダー部１２より左右方向外側へ延びている。
前記ボディ部２の上辺２Ｕから袖部１６の上辺１６Ｕに亘るラインは、前記ネック部８から左右方向外側に向かうに従って緩やかに下がるように形成されている。もっともこの構成は適宜変更することができる。
【００２１】
前記ボディ部２の少なくとも前身頃４の前面には、正面絵柄部２０Ｆが、また少なくとも後身頃６の後面には、背面絵柄部２０Ｒがそれぞれ形成されている。
本実施形態では、前記ボディ部２の上辺２Ｕ及び左右の側辺２Ｓと、ボディ部２の裾部１４と、前記袖部１６の上辺１６Ｕ及び下辺１６Ｌと、袖部１６の袖口１８とで囲まれる領域をキャンパスに見立てて、シャツの前側に正面絵柄部２０Ｆを、シャツの後側に背面絵柄部２０Ｒをそれぞれ描いている。
【００２２】
前記正面絵柄部２０Ｆは、図１に示す如く、頭部を省略した上位人型キャラクタ２２を下位人型キャラクタ４０が肩車した姿を正面方向から見た図案を含む。
図示例では、ボディ部２の上半部ＵＨに上位人型キャラクタ２２の首回り２４から下位人型キャラクタ４０の肩部４４までが、ボディ部２の下半部ＬＨには、下位人型キャラクタ４０の肩部４４より下の部分が、それぞれ描かれている。前記背面絵柄部２０Ｒに関しても同様である。もっとも、これらの構造は適宜変更することができる。
前記正面絵柄部２０Ｆにおいて、前記上位人型キャラクタ２２は、下位人型キャラクタ４０に肩車された人物であり、その胴部３０と肩部２６と腕部２８とは描かれているが、当該胴部３０の上にある筈の頭部が省略されており、その首回り２４が前記ネック部８の輪郭を構成するネックライン１０と重なるように配置されている。この構成とすることにより、絵柄である上位人型キャラクタ２２の首回り２４と利用者の首Ｎとが恰も連続しているような視覚的効果を与えることができる。従って、正面絵柄部２０Ｆ中の上位人型キャラクタ２２の胴体と着用者の頭とが連続しているような関係性（一体感）を生ずる。
また、図１に示す、前方から見て、前記正面絵柄部２０Ｆの上位人型キャラクタ２２の腕部２８が前記前身頃４の前面から前記袖部１６の前面を超えて袖口１８に至るように構成されている。この構成とすることにより、絵柄である上位人型キャラクタ２２の腕部２８と利用者の腕Ａとが恰も連続しているような視覚的効果を与えることができる。
図示例の袖部１６は半そでタイプであり、この場合には、前記腕部２８として上腕部を描き、この上腕部の先端が前記袖口１８に至るように描く。そうすることにより、図５に示すように、絵柄の一部である上腕部と着用者の肘部付近が連続して見えるようにする。
なお、本明細書において、着用者の身体と絵柄との連なりが一応認められる程度で足り、図５に示す如く、絵柄の腕部２８と着用者の腕Ａとが完全に一致していなくても構わない。
また前記上位人型キャラクタ２２の腕部２８を袖部１６に描くことは、本発明の必須条件ではない。着用者の身体との連続性は、上位人型キャラクタ２２の首回り２４と着用者の首Ｎとの間だけで成立させて、前記腕部２８は前身頃４に描いても構わない。
図示例では、前記上位人型キャラクタ２２は、前記下位人型キャラクタ４０よりやや小柄に描かれており、前記上位人型キャラクタ２２の胴部３０と前記ボディ部２の左右の側辺２Ｓとの間には第１余白代Ｍ１をとっている。また前記袖部１６に描かれた上位人型キャラクタ２２の腕部２８の下辺２８Ｌと前記袖部１６の下辺１６Ｌとの間には第２余白代Ｍ２をとっている。
このように構成することにより、キャンパスに見立てたシャツの前面に描いた上位人型キャラクタの回りに余白をとり、シャツの前身頃の輪郭として現れる着用者のボディラインと上位人型キャラクタの輪郭との間のズレを強調することができる。
前身頃の輪郭と絵柄の輪郭との間に余白があるのは、例えば非特許文献１でも同じであるが、本発明の場合はシャツのネックライン付近で上位人型キャラクタ２２の首回り２４と着用者の首Ｎとの間の連続性を担保しながら、上位人型キャラクタ２２の下側では敢えて連続性を破るように構成している。こうすることにより、一種の騙し絵的な視覚効果を与えることができ、幻想的な印象を利用者に与えることができる。
本実施形態では、前記上位人型キャラクタ２２の肩部２６の上縁２６Ｕを前記ボディ部２の上辺２Ｕに、また前記上位人型キャラクタ２２の腕部２８の上辺２８Ｕを前記袖部１６の上辺１６Ｕにそれぞれ一致させている。こうすることにより、利用者の身体のボディラインと絵柄である前記上位人型キャラクタ２２の輪郭とが一致する範囲を、前記首回り２４から前記袖部１６の袖口１８上端まで拡大させることができる。
また図示例では、前記上位人型キャラクタ２２は、上衣３６であるティーシャツを身に着けている。
この絵柄中の上衣３６と本発明の対象であるシャツ１との間にも、前述の上位人型キャラクタと着用者との関係性に類似の関係が担保されている。すなわち、前方から見て、絵柄である上衣の肩部から袖部の上辺に亘る輪郭が現実のシャツ１の対応箇所の輪郭に一致しているが、上衣の袖口・袖部の下辺・胴部に亘る輪郭は、現実のシャツ１の対応箇所の輪郭からずれている。これにより、図５の如く人間がシャツ１を着用している段階に限らず、店頭でシャツ１を吊り下げた状態で展示しただけでも、シャツの輪郭と絵柄の輪郭とが一部混同して見える騙し絵的な視覚効果を生じるので、買い物客の関心を強く惹くことができる。  
このティーシャツの袖口同士の間の幅ｗ２は、前身頃４の幅ｗ１より大きく、絵柄中のティーシャツの袖部は、本発明のシャツの袖部１６の前面に突入している。これは、シャツの前面の広い範囲で前記視覚的効果を発揮させるためである。
【００２３】
背面絵柄部２０Ｒは、前記正面絵柄部２０Ｆと対応する構造を有する。すなわち、背面絵柄部２０Ｒは、頭部を省略した上位人型キャラクタ２２を下位人型キャラクタ４０が肩車した姿を背面方向から見た図案を含む。また前記背面絵柄部２０Ｒの上位人型キャラクタ２２の首回り２４が前記ネック部８の輪郭を構成するネックライン１０と重なるように配置されている
さらに図６に示す如く、側方から見て、前記正面絵柄部２０Ｆと前記背面絵柄部２０Ｒとは、少なくともネック部８から袖部１６に亘る箇所において、正面側及び背面側の上位人型キャラクタ２２の対応する箇所（双方の腕部同士、肩部同士、そして胴部同士）が連続するように形成している。
換言すれば、従来のＴシャツの絵柄は２次元的なものであるのに対して、本発明のデザインは３次元的なものであり、これにより、３６０度いずれの方向から見ても、絵柄中の上位人型キャラクタの首回りと着用者の頭部とが連続し、また絵柄中の上位人型キャラクタの腕部と着用者の腕とが連続して見えるという視覚的効果を与えることができる。
【００２４】
前記正面絵柄部２０Ｆと背面絵柄部２０Ｒとは、それぞれの上位人型キャラクタ２２及び下位人型キャラクタ４０の身体の対応箇所が対応位置にあるように構成する。そうしないと、表側の人型キャラクタのデザインと裏側の人型キャラクタのデザインとのまとまりがなくなるからである。
具体的には、上位人型キャラクタ２２の胴部３０・腕部２８の位置や太さ、下位人型キャラクタ４０の肩部４４の位置などは、表側と裏側との間で相互に一致させるものとする。
【００２５】
以下、本発明の他の実施形態を説明する。これらの説明において、第１実施形態と同じ構成に関しては、説明を省略することができる。
【００２６】
図７から図１０は、本発明の第２実施形態に係る絵柄付きシャツを示している。本実施形態では、ボディ部２の上辺２Ｓと肩部の上辺との間、並びに、袖部１６の上辺１６Ｕと腕部２８の上辺２８Ｕとの間にもキャップ１０ａを形成することができる。
【００２７】
図１１は、本発明の実施例を示す図である。
同図（Ａ−１）及び（Ａ−２）は、袖部１６のデザインを変更したものである。すなわち、前記袖部１６に人型キャラクタの腕部分を描かず、そのキャラクタの着衣の袖部分のみを描いたものである。
また同図（Ｂ−１）及び（Ｂ−２）は、本発明のシャツを、前記袖部を省略したノースリーブタイプとしたものである。具体的には、ボディ部の両側に着用者の腕を通す挿通孔を設けるとともに、この挿通孔に上位人型キャラクタ２２のショルダー部１２を接続するように描き、このショルダー部１２と着用者の上腕とが恰も連続するように描いている。
【符号の説明】
【００２８】
１…シャツ  ２…ボディ部  ２Ｓ…側辺  ２Ｕ…上辺
４…前身頃  ６…後身頃  ８…ネック部  １０…ネックライン
１０ａ…前側ライン  １０ｂ…後側ライン
１２…ショルダー部  １４…裾部
１６…袖部  １６Ｌ…同下辺  １６Ｕ…同上辺  １８…袖口
２０Ｆ…正面絵柄部  ２０Ｒ…背面絵柄部
２２…上位人型キャラクタ  ２４…首回り  ２６…肩部  ２６Ｕ…同上辺
２８…腕部（上腕部）  ２８Ｌ…下辺  ２８Ｕ…上辺  ３０…胴部
３４…腰部  ３６…上衣
４０…下位人型キャラクタ  ４２…頭部  ４４…肩部
Ａ…腕  Ｍ１…第１余白代  Ｍ２…第２余白代  Ｍ３…第３余白代  Ｎ…首
UH…上半部  LH…下半部
【図１】
2020183594.tif 000003
【図２】
2020183594.tif 000004
【図３】
2020183594.tif 000005
【図４】
2020183594.tif 000006
【図５】
2020183594.tif 000007
【図６】
2020183594.tif 000008
【図７】
2020183594.tif 000009
【図８】
2020183594.tif 000010
【図９】
2020183594.tif 000011
【図１０】
2020183594.tif 000012
【図１１】
2020183594.tif 000013
【手続補正書】
【提出日】令和2年9月25日(2020.9.25)
【手続補正１】
【補正対象書類名】特許請求の範囲
【補正対象項目名】請求項４
【補正方法】変更
【補正の内容】
【請求項４】
少なくとも前記後身頃(６)の後面に、前記ネック部(８)から下方に亘って連続する背面絵柄部(２０Ｒ)を形成しており、
前記背面絵柄部(２０Ｒ)は、頭部を省略した上位人型キャラクタ(２２)を下位人型キャラクタ(４０)が肩車した姿を背面方向から見た図案を含み、
前記背面絵柄部(２０Ｒ)の上位人型キャラクタ(２２)の首回り(２４)が前記ネック部(８)の輪郭を構成するネックライン(１０)と重なるように配置されていることを特徴とする、請求項２又は請求項３に記載の絵柄付きシャツ。
【手続補正２】
【補正対象書類名】特許請求の範囲
【補正対象項目名】請求項５
【補正方法】変更
【補正の内容】
【請求項５】
後方から見て、前記背面絵柄部(２０Ｒ)の上位人型キャラクタ(２２)の腕部(２８)が前記後身頃(６)の後面から前記袖部(１６)の後面を超えて袖口(１８)に至るように構成されており、
側方から見て、前記正面絵柄部(２０Ｆ)と前記背面絵柄部(２０Ｒ)とは、少なくともネック部(８)から袖部(１６)に亘る箇所において、正面側及び背面側の上位人型キャラクタ(２２)の対応する箇所が連続するように形成していることを特徴とする、請求項４に記載の絵柄付きシャツ。
【手続補正３】
【補正対象書類名】明細書
【補正対象項目名】００１３
【補正方法】変更
【補正の内容】
【００１３】
第４の手段は、第２の手段又は第３の手段を有し、かつ少なくとも前記後身頃６の後面に、前記ネック部８から下方に亘って連続する背面絵柄部２０Ｒを形成しており、
前記背面絵柄部２０Ｒは、頭部を省略した上位人型キャラクタ２２を下位人型キャラクタ４０が肩車した姿を背面方向から見た図案を含み、
前記背面絵柄部２０Ｒの上位人型キャラクタ２２の首回り２４が前記ネック部８の輪郭を構成するネックライン１０と重なるように配置されている。
【手続補正４】
【補正対象書類名】明細書
【補正対象項目名】００２６
【補正方法】変更
【補正の内容】
【００２６】
図７から図１０は、本発明の第２実施形態に係る絵柄付きシャツを示している。本実施形態では、ボディ部２の上辺２Ｕと肩部の上辺との間、並びに、袖部１６の上辺１６Ｕと腕部２８の上辺２８Ｕとの間にも第３余白代であるギャップＭ３を形成することができる。